(57)【特許請求の範囲】
【請求項１】
- 手（２５）には、指先（２６）から始まり手の平側および手の甲側に向かって、少なくとも一対の平面状の気体噴流（２８）が吹き付けられ、前記少なくとも一対の平面状の気体噴流（２８）が手首（２７）から前記指先（２６）の方向に１８０°以下の角度で互いに向かって流出し、
‐前記気体噴流（２８）が、前記指先（２６）から前記手首（２７）の方向を横切って延びて形成される誘電遮蔽された電極（１７）に沿って延在するスリットノズル（１４）を通過した気体の噴射により形成され、
高周波高電圧パルスを、アースに対して前記少なくとも一対の平面状の気体噴流（２８）の近傍に配置された誘電遮蔽された電極（１７）に印加し、誘電遮蔽された対向電極（１８）を、アース電位に保持することにより、
‐誘電体バリア放電が、前記それぞれのスリットノズル（１４）に沿って延びる誘電遮蔽された電極（１７）と、前記スリットノズル（１４）のもう一方の面に平行に延在する誘電遮蔽された対向電極（１８）との間の気体中に発生し、及び
‐前記手（２５）を介した直接放電（２９）が手の平側および手の甲側に発生することを特徴とする、手首（２７）および指先（２６）とともに手（２５）を乾燥させるための方法。
【請求項２】
互いに向き合う２つの前記誘電遮蔽された電極（１７）の対向面が、前記手（２５）を越えて前記指先（２６）から前記手首（２７）の方向に向かって大きくなる間隔を保つことを特徴とする請求項１に記載の方法。
【請求項３】
前記直接放電（２９）が、前記指先（２６）から前記手首（２７）の方向に連続して配置された、前記指先（２６）から前記手首（２７）の方向を横切って延びる誘電遮蔽された二対の電極（１７）によって発生することを特徴とする請求項１または２に記載の方法。
【請求項４】
前記気体噴流（２８）が、周囲（７）に対して１００〜３５０ｋｍ／ｈの速度の気体で形成されることを特徴とする請求項１〜３のいずれか１項に記載の方法。
【請求項５】
前記手（２５）が、指先（２６）から始まり手の平側および手の甲側に前記手首（２７）の方向に向かって連続して配置された二対の平面状の気体噴流（２８）を吹き付けられ、各対の前記気体噴流（２８）が前記手首（２７）から前記指先（２６）の方向に１８０°以下の角度で互いに向かって流出することを特徴とする請求項１〜４のいずれか１項に記載の方法。
【請求項６】
前記手（２５）から吹き飛ばされた水が、受け止められることを特徴とする請求項１〜５のいずれか１項に記載の方法。
【請求項７】
前記気体噴流（２８）による噴射によってもたらされた気体流が、前記気体噴流（２８）の形成の一部として戻され、他の部分はフィルタ（９）を通して周囲（７）に排出されることを特徴とする請求項１〜６のいずれか１項に記載の方法。
【請求項８】
スリットノズル（１４）から発生する少なくとも一対の平面状の気体噴流（２８）を、手挿入口（２）に挿入された手の平側および手の甲側に噴射するために、
- 前記手挿入口（２）を備えたハウジング（４）、および
- 前記手挿入口（２）の両長手側面に配置された前記ハウジング（４）の中へ向かって斜めに配置された少なくとも一対のスリットノズル（１４）を有し、
‐前記少なくとも一対のスリットノズル（１４）の各近傍に、それぞれ誘電遮蔽された電極（１７）が配置され、
高周波高電圧パルスをアースに対して印加するために、交流高電圧源（１３）が前記誘電遮蔽された電極（１７）の各々に接続され、前記スリットノズル（１４）を越えて隣接する誘電遮蔽された対向電極（１８）の各々をアース電位に配置することにより、
‐前記誘電遮蔽された電極（１７）は、前記誘電遮蔽された電極（１７）に印加された前記高周波高電圧パルスにより誘電体バリア放電を前記スリットノズル（１４）に発生させ、及び
‐前記手挿入口（２）に挿入された手（２５）を介した直接放電（２９）を手の平側および手の甲側に発生させることを特徴とする手を乾燥させるための装置（１）。
【請求項９】
互いに向き合う２つの前記誘電遮蔽された電極（１７）の対向面が、前記ハウジング（４）の中の方向に向かって小さくなる間隔を保つことを特徴とする請求項８に記載の装置（１）。
【請求項１０】
前記ハウジング（４）の中の方向に向かって、前記ハウジング（４）の中の方向を横切って延びて形成される二対の誘電遮蔽された電極（１７）が連続的に配置され、それらが前記交流高電圧源（１３）に接続されることを特徴とする請求項８または９に記載の装置（１）。
【請求項１１】
前記ハウジング（４）の中の方向の、前記二対の誘電遮蔽された電極（１７）の第１対の間隔が５ｃｍ〜８ｃｍであり、前記ハウジングの中の方向の、前記二対の誘電遮蔽された電極（１７）の第２対の間隔が２ｃｍと５ｃｍの間であることを特徴とする請求項１０に記載の装置（１）。
【請求項１２】
前記ハウジング（４）の中の方向に向かって、互いに対して斜めに向き合い、前記ハウジング（４）の中の方向を横切って延びる二対のスリットノズルが連続して配置されることを特徴とする請求項８〜１１のいずれか１項に記載の装置（１）。
【請求項１３】
前記スリットノズル（１４）の後方で、前記ハウジング（４）の中の方向に向かって手から吹き飛ばされた水のための受止溝（５）が、前記ハウジング（４）中に配置されることを特徴とする請求項８〜１２のいずれか１項に記載の装置（１）。
【請求項１４】
前記ハウジング（４）中の気体ガイドが、前記スリットノズル（１４）に戻る経路中に配置された送風機（１０）を有する返送管（１２）、および周辺に向かう経路中に配置されたフィルタ（９）を有する排出管（３）を含むことを特徴とする請求項８〜１３のいずれか１項に記載の装置（１）。
【請求項１５】
各前記誘電遮蔽された電極（１７）のための前記交流高電圧源（１３）が、前記高周波高電圧パルスをそれぞれの前記誘電遮蔽された電極（１７）に印加するための個別電源を具備することを特徴とする請求項８〜１４のいずれか１項に記載の装置（１）。
【発明の詳細な説明】
【技術分野】
【０００１】
本発明は、手に指先から始まり手の平側および手の甲側に一対の平面状の気体噴流が吹き付けられ、一対の気体噴流は手首から指先の方向に１８０°以下の角度で互いに向かって流出する、手首および指先とともに手を乾燥するための方法に関わる。本発明はさらに手挿入口に挿入された手に、スリットノズルから発生する一対の平面状の気体噴流を手の平側および手の甲側に吹き付けるために、手挿入口を備えたハウジングおよび２つの手挿入口の両長手側面に配置されたハウジングの中へと斜めに配向されたスリットノズルを有する手の乾燥のための装置に関わる。
【背景技術】
【０００２】
独立請求項１のプリアンブルの特徴を有する冒頭で説明された種類の方法および独立請求項１２のプリアンブルの特徴を有する冒頭で説明された種類の装置は国際公開第２００７／０１５０４３号で公知である。手の乾燥のための公知の装置はそれぞれ一方の手のための、隣接して配置され、互いの中に移行する開口領域を有する２つの手挿入口を具備する。手挿入口の長手側からの間隔は７０〜１００ｍｍ、つまり約８５ｍｍであり、手挿入口の両末端で、およびその両開口領域間で５０〜８０ｍｍ、つまり約６５ｍｍに狭まる。平面状の気体噴流をスリットノズルから噴射するために、手挿入口の両長手側面に装置のハウジングの中で送風機と接続されたスリットノズルが配置される。気体噴流は少なくとも８０ｍ／ｓ、好ましくは少なくとも１００または１５０ｍ／ｓ、さらに好ましくは約１８０ｍ／ｓの速度の空気から成る。手挿入口の他に公知の装置のハウジングはそれに直接接続した大きな側方の開口部を有し、それを通って気体噴流の噴射された空気が装置の周囲に到達する。しかしそれによって手から吹き飛ばされた水も手から吹き飛ばされた病原菌の水とともに装置の周囲に分散される。気体を吹き付けるための送風機によってスリットノズルから吸い込まれた空気はフィルターによって吸収される。
【０００３】
それぞれの手が手の平側および手の甲側に吹きつけられるスリットノズルから発生する平面状の気体噴流間の角度は、鈍角であり、つまりスリットノズルがそれぞれ僅かのみ斜めに装置のハウジングの中へと方向付けられる。
【０００４】
国際公開第２０１４／０９１１９１号から、国際公開第２００７／０１５０４３号から公知の手の乾燥のための装置の発展形態が知られている。ここではスリットノズルがハウジングの中へとより強く傾斜し、スリットノズルの迎角は一定であり、それに対してそれに向き合ったスリットノズルの迎角は手挿入口の幅に渡って特に５０°〜５９°の範囲で水平な開口部高さに対して変化する。
【０００５】
欧州特許出願公開第２２２３７０４号明細書から非熱プラズマを備えた患者の身体部分の治療のための治療装置が公知である。装置は特に人間の手の滅菌のために企図されている。装置は治療の間身体部分を一時的に収容し、ハウジング内の身体部分にプラズマを使用するためのハウジングを備える。ハウジングはハウジングに身体部分を挿入するための挿入口を備える。ハウジングはさらにプラズマ発生器、高電圧発生器、外部電気絶縁材および気体透過性放射線遮蔽体並びにスペーサを含む。プラズマ発生器は誘電を防止された放電を生成するための２つの略平面配列を有する。１つの配列は治療領域の上に、もう１つの配列は下に配置される。各配列は２つの電極および電極間に１の誘電バリアを備える。高電圧発生器による両電極間での交流高電圧の印加により誘電を防止された放電が点火されそこから紫外線が発生する。
【０００６】
特許第４７９６２８１号公報からプラズマ熱線を使った滅菌装置が公知である。ここでは誘電を防止された放電が送風機によって喚起された空気流の中で点火され、これが同時に所望の熱を生成する。
【０００７】
米国特許第８６０７４７２号明細書からイオン発生器により、スロットノズルから発生する平面状の空気噴流に滅菌効果のあるイオンが添加される独立請求項１２の特徴を有する手を乾燥するための装置が公知である。手から吹き飛ばされた水はこの公知の装置で受け止められ、スロットノズルから噴射された空気の一部はスロットノズルに接続された送風機により改めて吸引され、それによって循環されることができる。イオン発生器はコロナ放電を使ってスロットノズルの上流に配置された２つの電極の間にイオンを生成する。
【０００８】
欧州特許出願公開第２６５６７６２号明細書からその中に空気流を使って乾かすべき手の収容のための外から進入できる空洞が形成されたハウジングを備えた手の乾燥のための装置が公知である。さらにハウジング中に空気流の生成のための送風機および空気流中の病原菌減少のための手段が設けられる。この病原菌減少のための手段は空気流、プラズマ源またはイオン源および／または放射源に殺菌物質を放出するための装置でありうる。プラズマ源またはイオン源はマイクロ波または高周波に励起されたプラズマ源またはイオン源でありうる。放射源は紫外線ランプまたは誘電体バリア放電ランプでありうる。公知の装置はさらに排気管および空気供給管を有することができ、それらは空気流が排気管および空気供給管ならびに空洞を通じて循環できるように空洞と結合される。病原菌減少のための手段は特に排気管の領域に配置される。しかしそれらは例えば放射源である場合、空洞中に配置されてもよい。
【０００９】
中国特許出願公開第１０３８７６６７８号明細書から送風機、加熱線、電極板および交流高電圧源を備えた手の乾燥のための装置が公知である。送風機は加熱線で熱気流を電極板上に生成する。洗浄された手が電極板上に延ばされると、手の濡れた表面に対して放電が発生する。これはその上にある細菌を殺菌し水を除去する。熱気流とともに手は迅速に乾燥される。交流高電圧源はその間に絶縁板が配置された電極板とグリッドの間に交流電圧を提供する。このときグリッドは加熱線およびその後ろにある送風機に向けられる。交換電圧源のこの配置の際に、同時に熱気流が当てられるようにグリッド上に配置されるべき濡れた手に対して、プラズマの生成のための放電がどのように生成されるべきかは開示されていない。
【００１０】
特開２０１３−２４４２４８号公報から手挿入口を有するハウジングを備えた手の乾燥のための装置が公知である。ハウジングに挿入された手に気体を吹き付けるために手挿入口はハウジングの中へと斜めに配向された多数のノズルを有するノズル板の間に導く。手とは逆側のノズル板の背面にノズル板中でノズルと連絡する貫通孔を有する対の電極板が設けられる。それらの互いに向き合う表面上で各対の両電極板に誘電体層が設けられる。電極間に交流高電流を印加することにより、空気がノズル板を通って手に噴射される前に、送風機によって供給される空気中でプラズマが点火される。
【先行技術文献】
【特許文献】
【００１１】
【特許文献１】国際公開第２００７／０１５０４３号
【特許文献２】国際公開第２０１４／０９１１９１号
【特許文献３】欧州特許出願公開第２２２３７０４号明細書
【特許文献４】特許第４７９６２８１号公報
【特許文献５】米国特許第８６０７４７２号明細書
【特許文献６】欧州特許出願公開第２６５６７６２号明細書
【特許文献７】中国特許出願公開第１０３８７６６７８号明細書
【特許文献８】特開２０１３−２４４２４８号公報
【発明の概要】
【発明が解決しようとする課題】
【００１２】
本発明は手表面の病原菌を効果的に殺菌し病原菌が手から周囲に分散することを効果的に防止する手の乾燥のための方法および手の乾燥のための装置を開示することを課題とする。
【課題を解決するための手段】
【００１３】
本発明の課題は請求項１の特徴を有する手の乾燥のための方法および請求項１２の特徴を有する手の乾燥のための装置によって解決される。方法と装置の好適な実施形態は従属請求項で定義される。
【００１４】
本発明の手首および指先を含めた手の乾燥のための方法は、手に、指先から始まり手の平側および手の甲側に平面状の気体噴流が吹き付けられ、一対の気体噴流が手首から指先方向に１８０°より小さい、好ましくは６０°と１５０°の間の角度で互いに向かって流出する。さらに接地に対して２つの平面状の気体噴流の近傍に配置された誘電を遮蔽された電極に交流高電圧パルスを印加することにより、直接放電が手を介して手の平側および手の甲側に励起される。
【００１５】
それらの互いに対する流出がそれぞれ手の、手の平側または手の甲側に傾斜して発生する気体噴流により、ほとんどの付着した水は手から吹き飛ばされる。しかし本発明の方法では乾かされるべき手が直接完全に乾燥するまで気体を吹き付けることは意図しない。むしろ手がまず湿ったままであることが全く望ましい。これは接地に対して交流高電圧パルスを平面状の両気体噴流に近傍して配置された誘電を遮蔽された電極に印加することにより、手を介して直接放電を点火することを実に著しく容易にする。さらにこの直接放電がまだ手にある水分膜の化学変化または活性化をもたらし、それは水分膜に強い殺菌効果を与える。そのためこの水分膜も乾燥される際に、手の表面にある病原菌が手から遊離する前に、それらは本発明の方法により殺菌される。
【００１６】
本発明により励起される、手を介した直接放電の際、手が、接地に対して交流高電流パルスが印加されるそれぞれの電極に対する、容量性対向電極として働く。つまり気体放電は交流高電流パルスが印加される電極間にではなく、全てのこの電極と手の間に生じる。手を介した直接放電は電極の誘電遮蔽により誘電が防止されるため、少量の電流のみが流れる。さらに少なくとも数キロヘルツ、好ましくは１０ｋＨｚ〜数１０ｋＨｚ、最大２００ｋＨｚ、および例えば約３０ｋＨｚの高周波交流高電圧パルスの増加する周波数を有する直接放電の際に流れる電流が表皮効果により手の容積の中ではなく表面のみに流れる。その後、手の表面に流れる電流もそこにある病原菌への殺菌効果と結びつく。同時に電流が組織に侵入し、そこで摩擦または損傷のようなものが発生することがないことが保証される。しかし本発明の方法では手表面にも手を介した直接放電の直接の結果においても、それによって手表面に流れる電流の結果としても手またはその皮膚の著しい温度上昇は生じない。そのような温度上昇は電極の誘電遮蔽による直接放電の誘電防止によって限定された電流だけではなく、手に向けられた気体噴流およびその冷却作用とも対立する。
【００１７】
交流高電圧パルスの場合その周波数について語られるとき、そのときに行われる数値表示はそれらの負および正の電圧パルスから成る一対が連続するパルス繰り返し周波数を適用する。個々の交流高電圧、個々のパルスの一対、または交流高電圧パルス群はそのとき互いの間で比較的大きな間隔を有するため、それらの電圧変化率はまだ多くの高周波数を有する直接前後して連続する電圧パルスのそれに相応する。例えばパルスの各対のパルスは互いに明確にパルス繰り返し周波数の逆数の半分に相応するよりも短い時間間隔を有することができる。これは手を介した誘電を防止された直接放電を典型的に僅かな数ｋＶ〜数１０ｋＶ、特に５ｋＶ〜３０ｋＶの限定された交流電圧で発火することを容易にする。
【００１８】
それによって本発明の方法で手からまず意識的に負担となる水分膜までを吹き飛ばす気体噴流は特に空気噴射でありうる。気体噴流が手から全水分を直接除去しないように配向されることにより、空気噴流の生成のための送風機は比較的小さい寸法であることができ、気体噴流の生成および噴射と結びついた騒音排出は同様に限定される。手を介して励起される直接放電は重大な騒音と結びつかない。
【００１９】
本発明の方法の場合、誘電を遮蔽された電極が手を超えて指先から手首への方向に大きくなる間隔を保つことができる。基本的にここでは手を超えて互いに向き合う電極の間隔を変化することができる。しかしこれらが互いにＶ字型に互いに寄りかかり、または複数対の電極が異なる間隔で手を超えて設けられることで電極の間隔が指先から手首への方向に拡大するときより簡単になる。特に少なくとも２つの指先から手首への方向に連続して配置される対との直接放電は手首への方向を横切って延びて形成された誘電を遮蔽された電極によって励起されることができる。
【００２０】
気体噴流は特にその気体の周囲に対する１００〜３５０ｋｍ／ｈの速度で形成されることができる。つまりこれは実に速い気体噴流である。しかし気体噴流はそれが手の即座の乾燥に要するほど速くはない。これには国際公開第２００７／０１５０４３号が好ましくは少なくとも１００または１５０ｍ／ｓ、より好ましくは約１８０ｍ／ｓの速度を提示し、１００ｍ／ｓは丁度３６０ｋｍ／ｈ、１８０ｍ／ｓは６５０ｋｍ／ｈ弱に相当する。
【００２１】
好ましくは手には本発明の方法で指先から始まり、手の平および手の甲に少なくとも２つの指先から手首への方向に連続して配置された平面状の気体噴流の対が噴射される。そのとき各対の気体噴流が手首から指先への方向に１８０°より小さい角度で互いに対して流出する。そのように特に手の指が手の平側および手の甲側で２つのガス供給噴流により連続して噴射されるため水分膜より多く成形される水も指の間隙から確実に除去される。
【００２２】
具体的に気体噴流は指先から手首への方向を横切って延在して形成される誘電を遮蔽された電極に沿って延びるスロットノズルを通して気体が吹き出すことによって形成されることができる。そのときそれによって少なくとも１つの気体噴流が形成される気体中に付加的な誘電を防止された放電が励起されることができる。この付加的な誘電を遮蔽された放電はその後気体噴流として手に吹き付けられる気体を付加的に殺菌作用のある反応種で濃縮する。さらに誘電を防止された放電が気体中で気体そのものの除菌をもたらす。
【００２３】
好ましくは誘電を防止する放電がそれによって少なくとも１つの気体噴流が形成される気体の中で、それぞれのスリットノズルに沿って延びる誘電を遮蔽された電極とスリットノズルの別の側でそれに並行して延びる誘電を遮蔽された対抗電極の間に励起される。この誘電を遮蔽された対抗電極はそのとき好ましくは潜在的接地に保持される。対抗電極はこれによって個々のスリットノズルに沿って延び、交流高電圧が接地に対して印加される誘電を遮蔽された電極とは異なり、同時に手を介して励起される直接放電の終点ではない。
【００２４】
手から吹き飛ばされた水は本発明の方法で好ましくは受け止められ集められまたは排出され、含有された病原菌は何らかの公知のおよび適切な方法で殺菌されることができる。いずれにせよ水に含有された病原菌が水の飛散または蒸発により周囲に到達することは防止される。
【００２５】
１８０°より小さい角度で互いに対して流出する気体噴流に周囲からの空気が巻き込まれる。その容積が巻き込まれる空気によって増加し続けるため、気体噴流の噴射から生じる気体流はそれによって気体噴流形成の一部のみに還元される。気体流の増加はむしろ継続的に排除されなければならない。これは本発明の方法で好ましくは気体流のこの部分に含有された病原菌を抑制するおよび／または殺菌する適合したフィルタによって行われる。好ましくはフィルタ内でさらに手を介した直接放電におよび付加的に誘電を防止された放電などを介して気体中に生成されるオゾンが分解される。それに対して循環に導入された気体流中のオゾンの分解は必要なく、または全く無意味である。なぜならそれをここではさらに殺菌に使うことができるためである。
【００２６】
手挿入口を備えたハウジングおよび、手挿入口に挿入された手に一対のスリットノズルから発生する平面状の気体噴流で手の平側および手の甲に吹き付けるため、ハウジングの中へと斜めに配向された手挿入口の両長手側に配置された２つのスロットノズルを有する手を乾燥するための装置は、本発明により、交流高電圧パルスを接地に対して誘電を遮蔽された電極にするために、両スリットノズルに近傍して誘電を遮蔽された電極が配置され、交流高電圧源が誘電を遮蔽された電極に接続され、交流高電圧パルスが手のための開口部に挿入された手を介して直接放電を手の平側および手の甲側に励起することを特徴とする。
【００２７】
手挿入口を通して本発明の装置のハウジングに挿入された手は平面状の気体噴流を吹き付けられても直接放電によっても、およびそれらの結果によって生成された反応種によっても、手表面つまり皮膚の病原菌の殺菌が行われるように処置される。そのとき手をすぐに完全に乾かさず手から水を吹き飛ばすことにより、直接放電の点火のための特によい前提も反応種および他の手の表面の殺菌条件の生成も得られる。
【００２８】
本発明の装置の誘電を遮蔽された電極は手挿入口を超えてハウジングの中へと小さくなる間隔を保つ。そのとき電極はハウジングの中へと延びて形成されＶ字型に互いに寄りかかることができるか、または複数の電極対が手挿入口を超えてハウジングの中へと連続して配置される。そのとき全てのこれらの電極は交流高電圧源に接続される。そのとき基本的に全電極は交流高電圧源の唯一の出口に接続されうる。しかし手と全電極間の直接放電のために、交流高電圧源が個々の電極のための分離した出口または完全に分離した部分源を備えることが好ましい。
【００２９】
ハウジングの中への方向の第１対の誘電を遮蔽された電極の間隔は５〜８ｃｍでありうるのに対し、ハウジングの中への方向の第２対の誘電を遮蔽された電極の間隔は２〜５センチでありうる。そのとき第１間隔は普通の手の手首領域の厚さに、第２間隔は普通の手の指領域の厚さに適合される。
【００３０】
好ましくは本発明の装置では少なくとも２対の互いに斜めに配向されハウジングの中への方向を横切って延びるスロットノズルも連続的に配置される。具体的には各誘電を遮蔽された電極に沿って１つのスロットノズルが延在することができる。そのとき少なくとも１つの誘電を遮蔽された電極がそれに隣接するスロットノズルを超えて誘電を遮蔽された対抗電極を潜在的接地に、誘電を遮蔽された電極に印加される交流高電圧パルスが誘電を防止された放電をスロットノズルに励起するように向き合って配置できる。このような方法ですでにスロットノズルから発生する平面状の気体噴流がスロットノズル内の誘電を防止された放電に起因する反応種を含む。ここでは気体噴流の気体中の病原菌が誘電を防止された放電によって殺菌される。
【００３１】
好ましくは本発明の装置はハウジング内にハウジングの中への方向のスロットノズルの後ろに手から吹き飛ばされた水のための受止溝を備える。この受止溝を介して水は収集され排出される。このような方法で水が飛散しまたは蒸発しそのようにその中に含有された病原菌とともに装置の周囲に到達することが防止される。
【００３２】
本発明の装置のハウジング中の気体ガイドはその中に配置された送風機を有するスロットノズルに返送する返送管およびその中に配置されたフィルタを有する周囲に導く排出管を含む。気体噴流は空気を周囲からハウジングの中へと引き込みそれによって流動的な気体容積を常に上昇させる。それに応じて全気体または全空気は循環されない。むしろ常に一部分が周囲に返還される。そのために排出管が使われる。中に配置されたフィルタは特に病原菌を抑制し装置中に気体放電によって生成されるオゾンを分解する。それに対して排出管を通して空気の一部が本発明の装置中で循環し、このような方法で装置から周囲に全体的に喚起された空気流動が最小化される。
【００３３】
本発明の有利な発展形態は、特許請求の範囲、明細書、および図面から明らかになる。明細書中に挙げられた特徴、および複数の特徴の組合せの利点は単に例示的なものであり、代替的または累積的に効果を表してもよく、その際、これらの利点が本発明による実施形態によって必ずしも達成される必要はない。これによって、添付の請求項の主題が変更されることなく、出願時の出願書類および特許の開示内容に関しては次のとおりである：さらなる特徴は、図面、−特に複数の構造要素の図示された形状および相対寸法、ならびにそれらの相対配置および作用結合¬から読み取れる。本発明の異なる実施形態の特徴、または異なる請求項の特徴の組合せが同様に、請求項の選択された引用との逸脱も可能であり、当該組み合わせによって示唆される。このことは、別個の図面に示されているか、またはこれらの図面の説明に挙げられた特徴にも関する。これらの特徴は、異なる請求項の特徴と組み合わせることもできる。同様に、特許請求の範囲に記載された本発明の他の実施形態に係る特徴が省略されてもよい。
【００３４】
請求項および明細書に挙げられた特徴は、その数に関して、まさにその数または挙げられた数よりも大きい数が存在することと解されるべきである。その際に「少なくとも」という副詞の明示的な使用は必要でない。すなわち、例えば部材のことが問題である場合、これは正確に１つの部材、２つの部材、またはそれ以上の部材が存在しうると解されるべきである。これらの特徴に別の特徴が補足されてもよいし、それぞれの成果物をなす特徴だけであってもよい。
【００３５】
請求項に含まれる参照符号は、請求項により保護される対象の範囲を限定するものではない。これらの参照符号は、請求項を容易に理解する目的で用いられるにすぎない。
【００３６】
次に本発明は図に示された１つの実施形態例を元にさらに解説され説明される。
【図面の簡単な説明】
【００３７】
【図１】本発明の手の乾燥のための装置の断面図である。
【図２】図１の装置のスロットノズルの形成を画成する誘電を遮蔽された電極とともに示した図である。
【図３】図１の装置の機能を図説するための図である。
【発明を実施するための形態】
【００３８】
図１に示された装置１は手挿入口２および外に開いた排出管３以外は閉じたハウジング４を含む。手挿入口を通して乾燥されるべき手はプラズマノズル１１の間に挿入できる。プラズマノズル１１は一対で手挿入口２を超えて向き合い、ハウジング４の中への方向の第１対のプラズマノズル１１の間隔はこの方向の第２対の間隔より大きい。プラズマノズル１１により手挿入口２に挿入された手は平面状の気体噴流が吹き付けられ、同時にさらに詳しく説明されるようにプラズマ処置が施される。手から吹き飛ばされた水は、その中に手がその指先から進入し特に気体噴流の気体およびこれとともに手から吹き飛ばされる水を収容する受取領域６の底の受取溝５によって受け取られる。受取溝５を介して水はここでは図示されていない収集容器または排水管に供給され、収集容器または排水管またはそれに導く管の中に消毒剤またはフィルタが病原菌の抑制および／または殺菌のために設けられることができる。気体噴流の気体およびそれによって装置の周囲から引き込まれた空気は図１の装置１で全て病原菌を除去するフィルタ８の中に達する。しかしこのフィルタ８はオプションにすぎない。それに対してフィルタ９が排出管３に設けられ、病原菌だけでなくここから周囲７に排出される排気のオゾンもフィルタで除外される。排出管３を介さず周囲７に吹き飛ばされる空気流の部分は送風機１０により返送管１２を介してプラズマノズル１１に返送される。返送管１２に隣接したプラズマノズル１１がここでは図示されない電気接続線を介して装置１の交流高電圧源１３に接続される。装置１の作動中に受取領域６で周囲７に対する超過圧力が支配しないとき、排出管３は付加的な送風機を備え、またはそれは装置１からの過剰な空気を周囲７に排出できるように送風機１０の下流で分岐しなければならない。
【００３９】
図２は図１のプラズマノズル１１を拡大し分離した図を示す。プラズマノズル１１はそれから平面状の気体噴流が発生するスロットノズル１４を含む。スロットノズル１４は前室１５を介してプラズマノズル１１の気体入り口１６に接続される。スロットノズル１４の隙間幅はここでは約０,３ｍｍである。描画面に垂直なプラズマノズルの長さはここでは約２６０ｍｍであり、この方向に隣り合って配置される両方の手はそれに気体が吹き付けられ、プラズマ処置を受けることができる。周囲７へのスロットノズル１４の開口部のやや手前にスロットノズル１４を超えて２つの電極１７および１８が向き合う。そのとき電極１７および１８はプラズマノズル１１の２つの互いに結合された部品２１および２２のポケット１９および２０の中に配置されている。この部品２１および２２は誘電素材から成る。部品２１および２２はそれによって電極１７および１８の誘電遮蔽２３および２４である。
【００４０】
交流高電圧源１３により高周波数の交流高電圧パルスが電極１７と１８の間に印加され、電極１８が接地される。この交流高電圧パルスはスロットノズル１４の中で電極１７および１８の誘電遮蔽２３および２４の間に誘電を防止された放電を励起する。誘電を防止された放電の結果、低温プラズマがスロットノズル１４に供給された気体中に生成されるため、スロットノズル１４から発生する気体噴流は病原菌を殺菌することができる反応種を含む。この反応種はスロットノズル１４に供給された気体中に含有された病原菌も殺菌する。このことからそれに交流高電圧源１３の交流高電圧パルスが接地に対して印加する電極１７の誘電遮蔽２３が付加的な直接放電がその近傍にもたらされた手を介して励起されるように形成される。誘電遮蔽２３および２４の厚さ、スロットノズル１４を超えた誘電遮蔽２３および２４の作業間隔、および交流高電圧源１３の交流高電圧パルスは、直接放電が手を介して同時に誘電を防止された放電とともにスロットノズル１４に発生するように互いに調整される。例えばポリメタクリル酸メチル樹脂から部品２１および２２が形成される場合、誘電遮蔽２３の厚さは２ｍｍであり、誘電遮蔽２４の厚さが１,７ｍｍでありうる。スロットノズル１４中の誘電を防止された放電をさらにスロットノズル１４の全長に渡って均質に形成するために、電極１７および１８はその誘電遮蔽２３および２４を含めて高い並列性で互いに配向される。少なくとも電極１７が荒い表面を有するとき、ここではこの誘電を防止された放電および手を介した直接誘電の均質性のために有利である。これは例えば粉末状の出発物質から電極１７および１が形成されることによって実現されることができる。この出発物質、例えば真鍮粉末はシリコンで鋳込まれることができるため、出発物質は完全に気泡を閉じ込めることなく湿り、電極１７および１８が、ポケット１９および２０が満たされることにより後部で電気的に絶縁される。ここでは各プラズマノズル１１のために交流高電圧源１３の分離された部分源が設けられることができるため、電流は１つのプラズマノズル１１の領域での放電によりもう１つのプラズマノズル１１の機能に影響を与えない。
【００４１】
図３は概略的に図１の４つのプラズマノズル１１の間に導入された指先２６から手首２７まで延びる手２５を示す。手２５は手の平側および手の甲側でプラズマノズル１１から発生する平面状の気体噴流２８によって吹き付けられ、この気体噴流は誘電を防止された放電によりプラズマノズル１１中にすでに病原菌の殺菌に適合した反応種を含有する。さらに交流高電圧パルスで接地に対して印加された電極の領域に手２５を介した直接放電２９が形成される。この直接放電２９はまだ手２５の皮膚表面３０にある水分膜によって軽減される。ここでは直接放電２９がこの水分膜の組成を強い殺菌効果が生じるように修正する。特に水分膜は直接放電２９によって酸性化され、そこからそれぞれ殺菌効果が生じる増加した過酸化物および硝酸塩濃度を有することができる。平面状の気体噴流２３は一対でここでは例えば互いに直角に配向される。交流高電圧パルスで接地に対して印加された、それらから直接放電２９が出発する電極の誘電遮蔽は一対で例えば互いに平行におよび手の表面３０に対して配向されている。気体噴流２８中の空気速度は３５０ｋｍ／ｈ弱でありうる。交流高電圧源の出力電圧は約２０ｋＶでありうる。交流高電圧パルスの反復周波数は約３５０ｋＨｚでありうる。
【符号の説明】
【００４２】
１  装置
２  手挿入口
３  排出管
４  ハウジング
５  受取溝
６  受取領域
７  周囲
８  フィルタ
９  フィルタ
１０  送風機
１１  プラズマノズル
１２  返送管
１３  交流高電圧源
１４  スロットノズル
１５  前室
１６  気体入り口
１７  電極
１８  電極
１９  ポケット
２０  ポケット
２１  部品
２２  部品
２３  誘電遮蔽
２４  誘電遮蔽
２５  手
２６  指先
２７  手首
２８  気体噴流
２９  直接放電
３０  表面
【図１】
0006685523.tif 000002
【図２】
0006685523.tif 000003
【図３】
0006685523.tif 000004